(57)【要約】【課題】搬送装置を用いることなく、低コストで数多くの遺骨を管理し、参拝することが可能な納骨堂の提供。【解決手段】隔壁４を介して配置された礼拝室２および納骨室３を備え、礼拝室２は、隔壁４を通じて納骨室３内が見えるように形成された窓部７を有する祭壇部５を備え、納骨室３は、窓部７を通じて見える位置に設置された仏像１２と、参拝時に仏像１２を照らすスポットライトと、遺骨を収容した遺骨ケース９が安置される棚８と、この棚８に安置される遺骨ケース９のそれぞれに対応する位置に設けられ、参拝時に点灯されるＬＥＤランプとを備える。【選択図】図１
2008223238.tif 000002
【特許請求の範囲】
【請求項１】
隔壁を介して配置された礼拝室および納骨室を備え、
前記礼拝室は、前記隔壁を通じて前記納骨室内が見えるように形成された窓部を有する祭壇部を備え、
前記納骨室は、前記窓部を通じて見える位置に設置された仏像と、参拝時に前記仏像を照らす照明手段と、遺骨を収容した容器（以下、「遺骨収容容器」と称す。）が安置される棚と、この棚に安置される遺骨収容容器のそれぞれに対応する位置に設けられ、参拝時に点灯される発光体とを備える納骨堂。
【請求項２】
前記棚は、前記祭壇部の窓部を通じて前記納骨室内の仏像を見たときに、その手前の左右両側に対面するように設置されたものである請求項１記載の納骨堂。
【請求項３】
前記祭壇部の窓部は、参拝時に開くように構成された開閉式のカーテンを備えたものである請求項１または２に記載の納骨堂。
【請求項４】
前記発光体は、参拝時に指定された遺骨収容容器に対応する位置に設けられたもののみが点灯されるものである請求項１から３のいずれかに記載の納骨堂。
【請求項５】
前記発光体は、参拝時に少なくとも前記窓部を通じて見える範囲のものが全て点灯されるものである請求項１から３のいずれかに記載の納骨堂。
【発明の詳細な説明】
【技術分野】
【０００１】
本発明は、遺骨を保管するとともに参拝の利便性を向上した納骨堂に関する。
【背景技術】
【０００２】
通常、我が国では人が死亡すると荼毘に付され、遺骨は墓地や納骨堂などへ納骨される。また、都市部では分譲墓地も少なく、高額であるため、遺族の経済的負担や墓地の管理負担等が問題となっており、墓地の造成が困難となってきている。そこで、近年では、省スペースで遺骨を保管することが可能な納骨堂へ納骨するケースが増えている。
【０００３】
そして、このような納骨堂の利便性を向上するものとして、例えば特許文献１〜３には、納骨堂を立体倉庫とし、この立体倉庫から参拝者の指示に応じて該当する遺骨を参拝者の目の前の祭壇まで搬出するようにした納骨システムが開示されている。
【０００４】
【特許文献１】特開平９−３２３５５号公報
【特許文献２】特開平１０−１１５１２５号公報
【特許文献３】特開２００１−２０５６１号公報
【発明の開示】
【発明が解決しようとする課題】
【０００５】
しかしながら、上記特許文献１〜３に記載のシステムでは、参拝者の指示により立体倉庫から参拝者の目の前の祭壇まで遺骨を搬出するため、搬送装置の構造が非常に複雑であり、高コストである。また、このように複雑な動作をする搬送装置では、スムーズに動作しないといったトラブルも多く、メンテナンスコストも嵩んでしまう。
【０００６】
そこで、本発明においては、搬送装置を用いることなく、低コストで数多くの遺骨を管理し、参拝することが可能な納骨堂を提供することを目的とする。
【課題を解決するための手段】
【０００７】
本発明の納骨堂は、隔壁を介して配置された礼拝室および納骨室を備え、礼拝室は、隔壁を通じて納骨室内が見えるように形成された窓部を有する祭壇部を備え、納骨室は、窓部を通じて見える位置に設置された仏像と、参拝時に仏像を照らす照明手段と、遺骨を収容した容器（以下、「遺骨収容容器」と称す。）が安置される棚と、この棚に安置される遺骨収容容器のそれぞれに対応する位置に設けられ、参拝時に点灯される発光体とを備えるものである。
【０００８】
本発明の納骨堂によれば、参拝者が礼拝室に入って参拝する際、祭壇部の窓部から隔壁により隔てられた納骨室内を見ると、棚に安置された遺骨収容容器のそれぞれに対応する位置に設けられた発光体が点灯されるとともに、照明手段により照らされた仏像が見える。これにより、参拝者は、祭壇部を通じて見える仏像および遺骨収容容器を見ながら参拝することができる。
【０００９】
ここで、棚は、祭壇部の窓部を通じて納骨室内の仏像を見たときに、その手前の左右両側に対面するように設置されたものであることが望ましい。これにより、祭壇部の窓部から見える範囲内に左右に安置された故人の遺骨は、皆が仏像に見守られている印象を参拝者に与えることができる。また、このような配置で祭壇部および左右一対の棚を複数並設すれば、少ない設置面積で効率良く、納骨室内の全故人の遺骨がそれぞれ仏像に見守られている印象を参拝者に与えることができる。
【００１０】
また、祭壇部の窓部は、参拝時に開くように構成された開閉式のカーテンを備えたものであることが望ましい。これにより、通常はカーテンを閉じておき、参拝時にカーテンを開いて発光体の点灯および照明手段による仏像の照明を行えば、発光体および仏像が祭壇部の窓部へ浮かび上がって見えるようになり、参拝時の雰囲気を演出することができる。
【００１１】
また、本発明に係る発光体は、参拝時に指定された遺骨収容容器に対応する位置に設けられたもののみが点灯される構成とすることが可能である。このように参拝時に指定された遺骨収容容器に対応する位置に設けられた発光体のみを点灯することで、参拝者の参拝対象である故人の遺骨が棚のどこに安置されているのかを視認することが容易となり、特定の故人に対してより深く想いを込めて参拝することが可能となる。
【００１２】
あるいは、発光体は、参拝時に少なくとも窓部を通じて見える範囲のものが全て点灯されるものとすることができる。このように窓部を通じて見える範囲の発光体を全て点灯させることによって、見える範囲内に安置されている全員の遺骨全部に対して参拝することが可能となり、納骨堂に納骨されているものの参拝されない遺骨をなくすことができる。
【発明の効果】
【００１３】
（１）隔壁を介して配置された礼拝室および納骨室を備え、礼拝室は、隔壁を通じて納骨室内が見えるように形成された窓部を有する祭壇部を備え、納骨室は、窓部を通じて見える位置に設置された仏像と、参拝時に仏像を照らす照明手段と、遺骨収容容器が安置される棚と、この棚に安置される遺骨収容容器のそれぞれに対応する位置に設けられ、参拝時に点灯される発光体とを備えることにより、参拝者が礼拝室に入って参拝する際、祭壇部の窓部から隔壁により隔てられた納骨室内を見ると、棚に安置された遺骨収容容器のそれぞれに対応する位置に設けられた発光体が点灯されるとともに、照明手段により照らされた仏像が見える。これにより、搬送装置を用いることなく、低コストで数多くの遺骨を管理し、参拝者が祭壇部を通じて見える仏像および遺骨収容容器を見ながら参拝することが可能となる。
【００１４】
（２）棚が、祭壇部の窓部を通じて納骨室内の仏像を見たときに、その手前の左右両側に対面するように設置されたものであることにより、祭壇部の窓部から見える範囲内に左右に安置された故人の遺骨が、皆が仏像に見守られている印象を参拝者に与えることができる。
【００１５】
（３）祭壇部の窓部が、参拝時に開くように構成された開閉式のカーテンを備えたものであることにより、通常はカーテンを閉じておき、参拝時にカーテンを開いて発光体の点灯および照明手段による仏像の照明を行えば、発光体および仏像が祭壇部の窓部へ浮かび上がって見えるようになり、参拝時の雰囲気を演出することができる。
【００１６】
（４）参拝時に指定された遺骨収容容器に対応する位置に設けられた発光体のみを点灯することで、参拝者の参拝対象である故人の遺骨が棚のどこに安置されているのかを視認することが容易となり、特定の故人に対してより深く想いを込めて参拝することが可能となる。
【００１７】
（５）参拝時に窓部を通じて見える範囲の発光体を全て点灯させることによって、見える範囲内に安置されている全員の遺骨全部に対して参拝することが可能となり、納骨堂に納骨されているものの参拝されない遺骨をなくすことができる。
【発明を実施するための最良の形態】
【００１８】
図１は本発明の実施の形態における納骨堂内の鳥瞰図、図２は図１の１つの祭壇部の正面図、図３は図１の祭壇部の窓部から見える納骨室内の様子を示す図、図４は遺骨管理装置の構成図である。
【００１９】
図１に示すように、本発明の実施の形態における納骨堂１は、礼拝室２および納骨室３が隔壁４を介して配置されたものである。隔壁４の礼拝室２側には、複数の祭壇部５が並設されている。祭壇部５の中央には操作パネル６が設置されており、祭壇部５の正面には隔壁４を通じて納骨室３内が見えるように形成された窓部７が設けられている。窓部７には自動開閉式のカーテン（図示せず。）が設けられており、参拝開始時に開き、参拝終了時には閉じるようになっている。
【００２０】
納骨室３内には、各故人の遺骨を安置する複数の棚８が設置されている。各故人の遺骨は、骨壺や骨壺を収納可能な意匠登録第１２８０１６７号公報に記載のような本尊付きケース等の遺骨収容容器としての遺骨ケース９に収容されて棚８に安置されている。また、棚８には、この棚８に安置される遺骨ケース９のそれぞれに対応する位置に発光体としてのろうそく型のＬＥＤ（発光ダイオード）ランプ１０が設けられている。
【００２１】
棚８は、各祭壇部５の窓部７を通じて納骨室３内を見たときに左右両側に対面するように、隔壁４に対して９０°の方向に並べて設置されている。また、各祭壇部５の窓部７を通じて納骨室３内を見たときの正面奥の壁１１には仏像１２が設置されている。また、納骨室３内には、参拝時に仏像１２を照明する照明手段としてのスポットライト１３が設けられている。
【００２２】
操作パネル６は、入力装置を兼ねたタッチパネル方式の表示装置および音声データを出力する音声出力装置により構成されるが、入力装置や表示装置等が分離されたものでも良い。あるいは、表示装置としてプロジェクタを採用し、祭壇部５の壁面等に投影する構成としても良い。また、祭壇部５には、骨壺、墓標、位牌、香炉、花瓶や仏像の掛け軸等を設置しても良いが、これらの骨壺等は特定の故人のものではなく、通常の祭壇をイメージさせるためのものとする。
【００２３】
操作パネル６は、図４に示す遺骨管理装置１００に接続されている。遺骨管理装置１００は、後述する遺骨データ等が記憶される記憶手段１０１と、記憶手段１０１に記憶された遺骨データを登録するデータ登録手段１０２と、記憶手段１０１に記憶された遺骨データを操作パネル６に提供するデータ提供手段１０３と、操作パネル６の操作に応じてＬＥＤランプ１０、スポットライト１３や窓部７のカーテン等の動作を制御する動作制御手段１０４とを有する。
【００２４】
なお、記憶手段１０１に記憶される遺骨データは、納骨堂１を利用する利用者のＩＤ（遺族コード）、氏名、住所、電話番号や電子メールアドレス等の利用者データ、故人の家族の氏名、続柄、連絡先や親族代表者等の家族データ、一般管理加入や永代供養加入等の加入種別を表す加入内容データ、故人名、性別、命日、享年や戒名（法名）等の故人データ、故人の写真画像、動画像、音声や偲ぶ者その他の写真画像等の故人を偲ぶデータや、故人の遺骨が収容された遺骨ケース９が安置されている棚８の位置等に関する情報等である。
【００２５】
遺骨データ等は、データ登録手段１０２によって登録され、記憶手段１０１に記憶される。データ提供手段１０３は、操作パネル６からの操作に基づいて記憶手段１０１に記憶された遺骨データを検索し、該当する遺骨データを取得して操作パネル６へ提供するものである。
【００２６】
図５は操作パネル６に表示される初期画面１１０の例を示している。図５に示すように、操作パネル６には窓部７の開閉を指示する「開く」ボタン１１１および「閉る」ボタン１１２と、遺族コードから遺骨データを検索するための「ご遺族コード」ボタン１１３と、電話番号から遺骨データを検索するための「電話番号」ボタン１１４と、遺族名や故人名等から遺骨データを検索するための「ご遺族名」ボタン１１５とが表示されている。
【００２７】
参拝者による参拝時に、操作パネル６において「開く」ボタン１１１がタッチされた場合、動作制御手段１０４は当該祭壇部５の窓部７のカーテンを開き、納骨室３内のすべてのＬＥＤランプ１０を点灯するとともに、スポットライト１３を点灯して仏像１２を照らす。あるいは、動作制御手段１０４は、当該祭壇部５の窓部７を通じて見える範囲内のＬＥＤランプ１０のみを点灯する構成とすることも可能である。また、参拝終了時に、操作パネル６において「閉る」ボタン１１２がタッチされると、動作制御手段１０４はＬＥＤランプ１０およびスポットライト１３を消灯し、当該祭壇部５の窓部７のカーテンを閉じる。
【００２８】
図６は「ご遺族コード」ボタン１１３がタッチされた場合に操作パネル６に表示される遺族コード検索画面１２０の例を示している。遺族コード検索画面１２０では、数字ボタン１２１をタッチすることにより遺族コードを入力し、決定ボタン１２２をタッチする。これにより、データ提供手段１０３は、入力された遺族コードに基づいて記憶手段１０１を検索し、該当する故人の遺骨データを操作パネル６へ提供する。
【００２９】
図７は操作パネル６に表示される参拝画面１３０の例を示している。データ提供手段１０３から操作パネル６へ遺骨データが提供されると、図７に示すように操作パネル６に参拝画面１３０が表示される。参拝画面１３０には、右側枠１３１に故人の俗名が表示される。この右側枠１３１に表示された故人の俗名を選択してタッチすると、その選択した故人の遺影、戒名、俗名、享年、没年や遺影等が左側に表示される。また、この参拝画面１３０には「お経開始＆停止」ボタン１３２が設けられており、この「お経開始＆停止」ボタン１３２をタッチすると、経典を朗読した音声が流れる。
【００３０】
また、この参拝画面１３０には、図８に示すように、当該故人の遺骨が収容されている遺骨ケース９が安置されている位置を表示する構成とすることも可能である。なお、前述のように、本実施形態においては参拝時に納骨室３内のすべてのＬＥＤランプ１０を点灯するものとして説明したが、この当該故人の遺骨が収容されている遺骨ケース９に対応する位置に設けられたＬＥＤランプ１０のみを点灯する構成とすることも可能である。
【００３１】
図９は「電話番号」ボタン１１４がタッチされた場合に操作パネル６に表示される電話番号検索画面１４０の例を示している。電話番号検索画面１４０では、数字ボタン１４１をタッチすることにより電話番号を入力し、決定ボタン１４２をタッチする。これにより、データ提供手段１０３は、入力された電話番号に基づいて記憶手段１０１を検索し、前述と同様、該当する故人の遺骨データを操作パネル６へ提供する。
【００３２】
図１０は「ご遺族名」ボタン１１５がタッチされた場合に操作パネル６に表示される遺族名等検索画面１５０の例を示している。遺族名等検索画面１５０では、五十音ボタン１５１をタッチすることにより遺族名や故人名等を入力し、決定ボタン１５２をタッチする。これにより、データ提供手段１０３は、入力された遺族名や故人名等に基づいて記憶手段１０１を検索し、前述と同様、該当する故人の遺骨データを操作パネル６へ提供する。
【００３３】
以上のように、本実施形態における納骨堂１では、参拝者が礼拝室２に入って参拝する際、祭壇部５の窓部７から隔壁４により隔てられた納骨室３内を見ると、棚８に安置された遺骨ケース９のそれぞれに対応する位置に設けられたＬＥＤランプ１０が点灯されるとともに、スポットライト１３により照らされた仏像１２が見える。これにより、参拝者は、祭壇部５を通じて見える仏像１２および遺骨ケース９を見ながら参拝することが可能である。
【００３４】
また、この納骨堂１では、棚８が、祭壇部５の窓部７を通じて納骨室３内の仏像１２を見たときに、その手前の左右両側に対面するように設置されたものであるため、祭壇部５の窓部７から見える範囲内に左右に安置された故人の遺骨は、皆が仏像１２に見守られている印象を参拝者に与えることができる。
【００３５】
また、この納骨堂１では、祭壇部５の窓部７が、参拝時に開くように構成された開閉式のカーテンを備えるので、通常はこのカーテンを閉じておき、参拝時にカーテンを開いてＬＥＤランプ１０の点灯およびスポットライト１３による仏像１２の照明を行うことで、ＬＥＤランプ１０および仏像１２が祭壇部５の窓部７へ浮かび上がって見えるようになり、参拝時の雰囲気を演出することができる。
【００３６】
また、この納骨堂１では、参拝時に窓部７を通じて見える範囲のＬＥＤランプ１０を全て点灯させることによって、見える範囲内に安置されている全員の遺骨全部に対して参拝することが可能であり、納骨堂１に納骨されているものの参拝されないような遺骨をなくすことができる。一方、参拝時に指定された故人の遺骨ケース９に対応する位置に設けられたＬＥＤランプ１０のみを点灯する場合には、参拝者の参拝対象である故人の遺骨が棚８のどこに安置されているのかを視認することが容易となり、特定の故人に対してより深く想いを込めて参拝することが可能である。
【産業上の利用可能性】
【００３７】
本発明の納骨堂は、遺骨を保管する納骨堂として有用であり、特に、低コストで数多くの遺骨を管理し、参拝することが可能な納骨堂として好適である。
【図面の簡単な説明】
【００３８】
【図１】本発明の実施の形態における納骨堂内の鳥瞰図である。
【図２】図１の１つの祭壇部の正面図である。
【図３】図１の祭壇部の窓部から見える納骨室内の様子を示す図である。
【図４】遺骨管理装置の構成図である。
【図５】操作パネルに表示される初期画面の例を示す図である。
【図６】操作パネルに表示される遺族コード検索画面の例を示す図である。
【図７】操作パネルに表示される参拝画面の例を示す図である。
【図８】操作パネルに表示される遺骨ケースの安置位置の例を示す図である。
【図９】操作パネルに表示される電話番号検索画面の例を示す図である。
【図１０】操作パネルに表示される遺族名等検索画面の例を示す図である。
【符号の説明】
【００３９】
１  納骨堂
２  礼拝室
３  納骨室
４  隔壁
５  祭壇部
６  操作パネル
７  窓部
８  棚
９  遺骨ケース
１０  ＬＥＤランプ
１１  壁
１２  仏像
１３  スポットライト
１００  遺骨管理装置
１０１  記憶手段
１０２  データ登録手段
１０３  データ提供手段
１０４  動作制御手段
【図１】
2008223238.tif 000003
【図２】
2008223238.tif 000004
【図３】
2008223238.tif 000005
【図４】
2008223238.tif 000006
【図５】
2008223238.tif 000007
【図６】
2008223238.tif 000008
【図７】
2008223238.tif 000009
【図８】
2008223238.tif 000010
【図９】
2008223238.tif 000011
【図１０】
2008223238.tif 000012